【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
支持体上に、下記（Ａ）〜（Ｃ）を含有する画像記録層を有し、印刷機上で湿し水及びインキによる現像が可能な平版印刷版原版。
（Ａ）親水性官能基を有する変性エポキシ樹脂
（Ｂ）赤外線吸収剤
（Ｃ）ラジカル重合開始剤
【請求項２】
親水性官能基を有する変性エポキシ樹脂が、エチレン性不飽和基を有することを特徴とする請求項１に記載の平版印刷版原版。
【請求項３】
親水性官能基が、ポリアルキレンオキシド基、スルホン酸基、スルホン酸塩基、アミド基、アンモニウム基及びアミノ基から選択される少なくとも一つの基であることを特徴とする請求項１又は２に記載の平版印刷版原版。
【請求項４】
前記変性エポキシ樹脂が、エポキシ樹脂と、エポキシ樹脂中のエポキシ基又は置換基と反応しうる官能基と親水性官能基を有する化合物を反応させて得られる変性エポキシ樹脂（Ａ−１）であることを特徴とする請求項１〜３のいずれか一項に記載の平版印刷版原版。
【請求項５】
前記変性エポキシ樹脂が、（１）エポキシ樹脂と、エポキシ樹脂中のエポキシ基又は置換基と反応しうる官能基を有する化合物を反応させて得られる変性エポキシ樹脂に、（２）変性エポキシ樹脂中の置換基と反応しうる官能基と親水性官能基を有する化合物を反応させて得られる変性エポキシ樹脂（Ａ−２）であることを特徴とする請求項１〜３のいずれか一項に記載の平版印刷版原版。
【請求項６】
前記変性エポキシ樹脂が、変性エポキシ樹脂（Ａ−１）に、更に、該樹脂（Ａ−１）中のエポキシ基又は置換基と反応しうる官能基を有する化合物を反応させて得られる変性エポキシ樹脂（Ａ−３）であることを特徴とする請求項４に記載の平版印刷版原版。
【請求項７】
エポキシ樹脂中のエポキシ基又は置換基と反応しうる官能基が、カルボキシ基、アミノ基、ヒドロキシ基、メルカプト基、イソシアネート基、１，３−ジケト基及び酸無水物基から選択される基であることを特徴とする請求項４〜６のいずれか一項に記載の平版印刷版原版。
【請求項８】
変性エポキシ樹脂（Ａ−１）中のエポキシ基又は置換基と反応しうる官能基が、カルボキシ基、アミノ基、ヒドロキシ基、メルカプト基、イソシアネート基、１，３−ジケト基及び酸無水物基から選択される基であることを特徴とする請求項６に記載の平版印刷版原版。
【請求項９】
前記変性エポキシ樹脂が、質量平均モル質量（Ｍｗ）３，０００〜３００，０００の樹脂であることを特徴とする請求項１〜８のいずれか一項に記載の平版印刷版原版。
【請求項１０】
前記画像記録層が更に、（Ｄ）ラジカル重合性化合物を含有することを特徴とする請求項１〜９のいずれか一項に記載の平版印刷版原版。
【請求項１１】
前記画像記録層が更に、（Ｅ）ポリマー微粒子を含有することを特徴とする請求項１〜１０のいずれか一項に記載の平版印刷版原版。
【請求項１２】
該ポリマー微粒子が、１つ以上のエチレン性不飽和基を有する化合物を内包するマイクロカプセルであることを特徴とする請求項１１に記載の平版印刷版原版。
【請求項１３】
該ポリマー微粒子が、アクリロニトリルをモノマー単位として含むポリマーの微粒子であることを特徴とする請求項１１に記載の平版印刷版原版。
【請求項１４】
画像記録層の上に更に保護層を有することを特徴とする請求項１〜１３のいずれか一項に記載の平版印刷版原版。
【請求項１５】
保護層が、親水性樹脂を含有することを特徴とする請求項１４に記載の平版印刷版原版。
【請求項１６】
保護層が、無機質層状化合物を含有することを特徴とする請求項１４に記載の平版印刷版原版。
【請求項１７】
請求項１〜１６のいずれか一項に記載の平版印刷版原版を、画像様に露光した後、印刷機上に設置してそのまま印刷することを特徴とする平版印刷方法。
【請求項１８】
請求項１〜１６のいずれか一項に記載の平版印刷版原版を、印刷機に設置後、画像様に露光してそのまま印刷することを特徴とする平版印刷方法。
【手続補正２】
【補正対象書類名】明細書
【補正対象項目名】００１４
【補正方法】変更
【補正の内容】
【００１４】
１．支持体上に、下記（Ａ）〜（Ｃ）を含有する画像記録層を有し、印刷機上で湿し水及びインキによる現像が可能な平版印刷版原版。
（Ａ）親水性官能基を有する変性エポキシ樹脂
（Ｂ）赤外線吸収剤
（Ｃ）ラジカル重合開始剤
２．親水性官能基を有する変性エポキシ樹脂が、エチレン性不飽和基を有することを特徴とする前記１に記載の平版印刷版原版。
３．親水性官能基が、ポリアルキレンオキシド基、スルホン酸基、スルホン酸塩基、アミド基、アンモニウム基及びアミノ基から選択される少なくとも一つの基であることを特徴とする前記１又は２に記載の平版印刷版原版。
４．前記変性エポキシ樹脂が、エポキシ樹脂と、エポキシ樹脂中のエポキシ基又は置換基と反応しうる官能基と親水性官能基を有する化合物を反応させて得られる変性エポキシ樹脂（Ａ−１）であることを特徴とする前記１〜３のいずれか一項に記載の平版印刷版原版。
５．前記変性エポキシ樹脂が、（１）エポキシ樹脂と、エポキシ樹脂中のエポキシ基又は置換基と反応しうる官能基を有する化合物を反応させて得られる変性エポキシ樹脂に、（２）変性エポキシ樹脂中の置換基と反応しうる官能基と親水性官能基を有する化合物を反応させて得られる変性エポキシ樹脂（Ａ−２）であることを特徴とする前記１〜３のいずれか一項に記載の平版印刷版原版。
６．前記変性エポキシ樹脂が、変性エポキシ樹脂（Ａ−１）に、更に、該樹脂（Ａ−１）中のエポキシ基又は置換基と反応しうる官能基を有する化合物を反応させて得られる変性エポキシ樹脂（Ａ−３）であることを特徴とする前記４に記載の平版印刷版原版。
７．エポキシ樹脂中のエポキシ基又は置換基と反応しうる官能基が、カルボキシ基、アミノ基、ヒドロキシ基、メルカプト基、イソシアネート基、１，３−ジケト基及び酸無水物基から選択される基であることを特徴とする前記４〜６のいずれか一項に記載の平版印刷版原版。
８．変性エポキシ樹脂（Ａ−１）中のエポキシ基又は置換基と反応しうる官能基が、カルボキシ基、アミノ基、ヒドロキシ基、メルカプト基、イソシアネート基、１，３−ジケト基及び酸無水物基から選択される基であることを特徴とする前記６に記載の平版印刷版原版。
９．前記変性エポキシ樹脂が、質量平均モル質量（Ｍｗ）３，０００〜３００，０００の樹脂であることを特徴とする前記１〜８のいずれか一項に記載の平版印刷版原版。
１０．前記画像記録層が更に、（Ｄ）ラジカル重合性化合物を含有することを特徴とする前記１〜９のいずれか一項に記載の平版印刷版原版。
１１．前記画像記録層が更に、（Ｅ）ポリマー微粒子を含有することを特徴とする前記１〜１０のいずれか一項に記載の平版印刷版原版。
１２．該ポリマー微粒子が、１つ以上のエチレン性不飽和基を有する化合物を内包するマイクロカプセルであることを特徴とする前記１１に記載の平版印刷版原版。
１３．該ポリマー微粒子が、アクリロニトリルをモノマー単位として含むポリマーの微粒子であることを特徴とする前記１１に記載の平版印刷版原版。
１４．画像記録層の上に更に保護層を有することを特徴とする前記１〜１３のいずれか一項に記載の平版印刷版原版。
１５．保護層が、親水性樹脂を含有することを特徴とする前記１４に記載の平版印刷版原版。
１６．保護層が、無機質層状化合物を含有することを特徴とする前記１４に記載の平版印刷版原版。
１７．前記１〜１６のいずれか一項に記載の平版印刷版原版を、画像様に露光した後、印刷機上に設置してそのまま印刷することを特徴とする平版印刷方法。
１８．前記１〜１６のいずれか一項に記載の平版印刷版原版を、印刷機に設置後、画像様に露光してそのまま印刷することを特徴とする平版印刷方法。